(57)【要約】【課題】磁気ストライプ付きカードの磁気ストライプに記憶された情報が外部からの磁気によって破壊されることを防止すると共に、非接触ＩＣカードに記録された情報を読取り可能にするカード用通信制御体を提供する。【解決手段】カード用通信制御体１０は、切断部１１０を有する抗磁性金属枠１１と抗磁性金属枠１１を担持するカード支持体１２とを備え、磁気ストライプ付き非接触ＩＣカード３０に重畳するように配置したとき、抗磁性金属枠１１の一部と磁気ストライプ３１が重合され、磁界が印加されたとき、磁気ストライプ３１に記録された情報の破壊を防止すると共に、非接触ＩＣカード３０に記録された情報の読取りを可能とする。【選択図】      図４
2011141661.tif 000002
【特許請求の範囲】
【請求項１】
磁気ストライプ付きカードに重畳して使用するカード用通信制御体であって、
切断部を有する抗磁性金属枠と、前記抗磁性金属枠を担持するカード状支持体とを備え、
前記磁気ストライプ付きカードに重畳するように配置したとき、少なくとも前記抗磁性金属枠の一部と前記磁気ストライプとが重合され、
近傍から磁界が印加されたとき、前記磁気ストライプに記録された情報の破壊を防止することを特徴とするカード用通信制御体。
【請求項２】
磁気ストライプ付き非接触ＩＣカードに重畳して使用するカード用通信制御体であって、
切断部を有する抗磁性金属枠と、前記抗磁性金属枠を担持するカード状支持体とを備え、
前記非接触ＩＣカードに重畳するように配置したとき、前記抗磁性金属枠の一部と前記磁気ストライプとが重合され、磁界が印加されたとき、
前記磁気ストライプに記録された情報の破壊を防止することを特徴とするカード用通信制御体。
【請求項３】
磁気ストライプ付きカードと非接触ＩＣカードとに重畳して使用するカード用通信制御体であって、
切断部を有する抗磁性金属枠と、前記抗磁性金属枠を担持するカード状支持体とを備え、
前記磁気ストライプ付きカードと前記非接触ＩＣカードとに重畳するように配置したとき、少なくとも前記抗磁性金属枠の一部と前記磁気ストライプ付きカードの前記磁気ストライプとが重合され、さらに前記抗磁性金属枠と前記非接触ＩＣカードに内蔵されたコイルアンテナとは一部または全部が重合され、前記非接触ＩＣカードに記録された情報の読取りのための磁界が印加されたとき、
前記磁気ストライプ付きカードの前記磁気ストライプに記録された情報の破壊を防止すると共に、前記非接触ＩＣカードに記録された情報の読取りを可能とすることを特徴とするカード用通信制御体。
【請求項４】
請求項１乃至３のいずれかに記載のカード用通信制御体において、
前記抗磁性金属枠は、鉄、コバルト、ニッケル、サマリウム、ネオジウム主体もしくは含有した金属で構成されることを特徴とするカード用通信制御体。
【請求項５】
請求項３に記載のカード用通信制御体において、
前記カード用制御体は前記磁気ストライプ付きカードと前記非接触カードとの間に介挿され、前記磁気ストライプ付きカードの前記磁気ストライプに接面するように構成されることを特徴とするカード用通信制御体。
【請求項６】
請求項１乃至３のいずれかに記載のカード用通信制御体において、前記カード状支持体は、前記抗磁性金属枠を内蔵するラミネート加工体であることを特徴とするカード用通信制御体。
【発明の詳細な説明】
【技術分野】
【０００１】
本発明はカード用通信制御体に係り、より詳細には、磁気ストライプ付きカードの磁気ストライプに記録された情報が磁界により破壊されることを防止すると共に、非接触ＩＣカードに記録された情報を読取り可能とすることを特徴とするカード用通信制御体に関する。
【背景技術】
【０００２】
従来から、磁気ストライプ付きカードは銀行のキャッシュカードやクレジットカードに使用されている。また近年では非接触ＩＣカードの利用が拡大され、非接触ＩＣカードの技術は公共交通機関の乗車券や運転免許証、社員証などの身分証明書、電子マネー等、日常の様々な場面で広く利用されている。一方で、未だ非接触ＩＣカードの技術に対応していない端末も多く、また、非接触ＩＣカードに磁気ストライプが付いているものも少なくない。
【０００３】
上述のように、磁気ストライプ付きカードおよび磁気ストライプ付き非接触ＩＣカードは広く利用されているが、その性質ゆえに磁気による影響を受けやすく、外部からの磁気により磁気ストライプに記録された情報が破壊されてしまうことがあり、問題となっている。日常生活の中で発生し、磁気ストライプに影響を与える磁気による障害の例として、携帯電話やデジタルカメラ、ゲーム機等の電子機器から発生する磁気や、ハンドバッグの口金やネックレスなどの帯磁がある。例えば、磁気ストライプがついたキャッシュカードの入った財布を携帯電話と一緒にハンドバッグの中に入れておくと、携帯電話から発生した磁気がキャッシュカードの磁気ストライプに近接し、磁気ストライプ内の情報が破壊されてしまうことがある。磁気ストライプ内の情報が破壊されてしまうと、磁気ストライプ用の読取り機器での読取りが不可能となってしまう。また、破壊されてしまった磁気ストライプ付きカードおよび磁気ストライプ付き非接触ＩＣカードを新たに再発行する必要があるので、カード発行者にとってコストが嵩んでしまうという問題も指摘されている。
【先行技術文献】
【特許文献】
【０００４】
【特許文献１】特許第４３０４２３１号
【発明の概要】
【発明が解決しようとする課題】
【０００５】
発明者は先に、特許文献１に記載の、非接触ＩＣカードに記録された情報の読取りを選択的に可能または不可能とすることのできる非接触ＩＣカード用通信制御体を開発した。特許文献１に記載の発明は、切断部を有する非磁性金属枠と、前記切断部を任意に閉塞／開放する非磁性金属とを備えている。この発明においては、切断部を閉塞することによって外部からの磁界を打消す程度の強い反磁界を発生させて非接触ＩＣカード内の情報を読取り不可能とし、切断部を開放することによって非接触ＩＣカード内の情報を読取り可能とすることができる。結果として、不正な読取りであるスキミングを防止することを可能にしつつ、使用時にのみ非接触ＩＣカードの情報を読取り可能とすることができる。
【０００６】
しかしながら、特許文献１に記載の発明の非磁性金属枠は、非接触ＩＣカードに内蔵されたコイルアンテナに対応するように形成されているが、磁気ストライプの情報の破壊を防止することに関しては、必ずしも有効ではなかった。また、切断部を任意に閉塞／開放するためのスイッチを設ける必要があり、非接触ＩＣカード用通信制御体のみでの使用はできなかった。
【０００７】
そこで本発明の目的は、カード用通信制御体それ自体のみにより、磁気ストライプ付きカードおよび磁気ストライプ付き非接触ＩＣカードの磁気ストライプに記憶された情報を外部の磁気から保護すると共に、非接触ＩＣカードとしての機能には影響を与えないカード用通信制御体を提供することにある。
【課題を解決するための手段】
【０００８】
前述の目的を達成するため本発明は、磁気ストライプ付きカードに重畳して使用するカード用通信制御体であって、切断部を有する抗磁性金属枠と、抗磁性金属枠を担持するカード状支持体とを備え、磁気ストライプ付きカードに重畳するように配置したとき、少なくとも抗磁性金属枠の一部と磁気ストライプとが重合され、近傍から磁界が印加されたとき、磁気ストライプに記録された情報の破壊を防止することを特徴とする。
【０００９】
また本発明は、磁気ストライプ付き非接触ＩＣカードに重畳して使用するカード用通信制御体であって、切断部を有する抗磁性金属枠と、抗磁性金属枠を担持するカード状支持体とを備え、非接触ＩＣカードに重畳するように配置したとき、抗磁性金属枠の一部と磁気ストライプとが重合され、磁界が印加されたとき、磁気ストライプに記録された情報の破壊を防止することを特徴とする。
【００１０】
さらに、磁気ストライプ付きカードと非接触ＩＣカードとに重畳して使用するカード用通信制御体であって、切断部を有する抗磁性金属枠と、抗磁性金属枠を担持するカード状支持体とを備え、磁気ストライプ付きカードと非接触ＩＣカードとに重畳するように配置したとき、少なくとも抗磁性金属枠の一部と磁気ストライプ付きカードの磁気ストライプとが重合され、さらに抗磁性金属枠と非接触ＩＣカードに内蔵されたコイルアンテナとは一部または全部が重合され、非接触ＩＣカードに記録された情報の読取りのための磁界が印加されたとき、磁気ストライプ付きカードの磁気ストライプに記録された情報の破壊を防止すると共に、非接触ＩＣカードに記録された情報の読取りを可能とすることを特徴とする。
【００１１】
また、本発明のカード用制御体を、磁気ストライプ付きカードと非接触ＩＣカードとの間に介挿され、磁気ストライプ付きカードの磁気ストライプに接面するように構成させることもできる。
これらのカード用通信制御体において、抗磁性金属枠は、鉄、コバルト、ニッケル、サマリウム、ネオジウム主体もしくは含有した金属で構成されることを特徴とする。
また、本発明のカード状支持体は、抗磁性金属枠を内蔵するラミネート加工体であることを特徴とする。
【発明の効果】
【００１２】
本発明によれば、磁気ストライプ付きカードの磁気ストライプに記録された情報が破壊されることを防止することを可能にする。
また、磁気ストライプ付き非接触ＩＣカードの磁気ストライプに記憶された情報が破壊されることを防止すると共に、非接触ＩＣカードの機能には影響を与えず、非接触ＩＣカードに記録された情報を読取り可能とすることができる。
【００１３】
さらに、本発明のカード用通信制御体を磁気ストライプ付きカードと非接触ＩＣカードとの間に介挿することにより、磁気ストライプ付きカードの磁気ストライプに記憶された情報が破壊されることを防止すると共に、非接触ＩＣカードの機能には影響を与えず、非接触ＩＣカードに記録された情報を読取り可能とすることができる。
【００１４】
本発明のカード用通信制御体は、抗磁性金属枠とカード支持体のみにより構成されるので、工程が単純化され、コストを低く抑えることができる。同時に、カード用通信制御体を磁気ストライプ付きカードまたは／および磁気ストライプ付き非接触カードに重畳させるだけで本発明の効果を発揮することができるので、カード用通信制御体以外の他の装置等を要しない。
【図面の簡単な説明】
【００１５】
【図１】（ａ）は本発明のカード用通信制御体の平面図、（ｂ）は（ａ）のＸ−Ｘ断面図。
【図２】（ａ）〜（ｄ）は、本発明のカード用通信制御体の抗磁性金属枠の様々な実施例を示す平面図。
【図３】本発明の第１の実施例によるカード用通信制御体の斜視図。
【図４】本発明の第２の実施例によるカード用通信制御体の斜視図。
【図５】本発明の第３の実施例によるカード用通信制御体の斜視図。
【図６】カード用リーダによる非接触ＩＣカード内情報の読取り動作を説明する図。
【図７】切断部を有しない抗磁性金属枠を使用した場合の動作を説明する図。
【発明を実施するための形態】
【００１６】
まず図１において、本発明のカード用通信制御体１０の構造を示す。図１（ａ）は、カード用通信制御体１０の平面図で、図１（ｂ）は図１（ａ）のＸ−Ｘ断面図である。カード用通信制御体１０は、切断部１１０を有する抗磁性の金属枠１１とカード支持体１２からなる。カード支持体１２は、化粧板１３とフィルム１４からなり、抗磁性金属枠１１と化粧板１３をフィルム１４で覆い、ラミネート加工される。図２の（ａ）〜（ｄ）に示すように、抗磁性金属枠１１（ａ）〜（ｄ）は、少なくともその一部が磁気ストライプ付きカードの磁気ストライプに重合されるように形成され、少なくとも1箇所の切断部を有する。このようなデザインにより、抗磁性金属枠１１は、磁気ストライプに記録された情報を保護すると共に、非接触ＩＣカードの情報を読取り可能とすることができる。これらの詳細は後述の実施例２において説明される。カード用通信制御体１０は一般に利用されている磁気ストライプ付きカードおよび非接触ＩＣカードにあわせて、８６ｍｍ×５４ｍｍの大きさに形成され、抗磁性金属枠１１は８１ｍｍ×４８ｍｍの大きさに形成される。また、抗磁性金属枠１１は、鉄、コバルト、ニッケル、サマリウム、ネオジウム主体もしくは含有した透磁率の高い金属で構成される。
【実施例１】
【００１７】
つづいて、図３において、磁気ストライプ付きカード２０に重畳して使用されるカード用通信制御体１０を示す。
従来から知られているように、鉄合金のように透磁率の高い金属は、外部の磁気を吸収し、かつ着磁しづらく、外部の磁気がその金属より内側に入ってこないようにするという特徴がある。前述したように、本発明のカード用通信制御体１０の抗磁性金属枠１１は透磁率の高い金属で構成されるため、近傍より磁界が印加された場合、抗磁性金属枠１１に磁気が吸収され、抗磁性金属枠１１の内側、すなわち磁気ストライプ付きカード２０には外部からの磁気は届かない。
【００１８】
従って、抗磁性金属枠１１を磁気ストライプ付きカード２０の磁気ストライプ２１に重合するように配置すれば、磁気ストライプ２１に記録された情報が外部からの磁気によって破壊されることを防止することができる。
【実施例２】
【００１９】
実施例２の説明を始める前に、カード用リーダによる非接触ＩＣカードの読取り動作を説明する。周知のように、カード用リーダによる非接触ＩＣカードに記録された情報の読取りは、図６に示したように行われる。すなわち、利用者が非接触ＩＣカード６０をカード用リーダ５０にかざすと、カード用リーダ５０から非接触ＩＣカード６０に対して磁界５３が発生する。この磁界５３が非接触ＩＣカード６０に内蔵されているコイルアンテナ６２を通過するときに、コイルアンテナ６２の磁束が電流に変換され、ＩＣの電源として利用される。そして、非接触ＩＣカード６０ではカード用リーダ５０からの磁界５３とは逆向きの磁界６３が発生し、カード用リーダ５０への返信が行われる。これによって、カード用リーダ５０は非接触ＩＣカード６０に記録されている情報を読取ることができる。
【００２０】
さて、本発明のカード用通信制御体１０の抗磁性金属枠１１は切断部を有するが、ここで図７を参照しながら、抗磁性金属枠に切断部を有しないカード用通信制御体を使用した場合について説明する。カード用通信制御体７０を磁気ストライプ付き非接触ＩＣカード３０に重畳させて使用するとき、抗磁性金属枠７１を磁気ストライプ３１に重合させるように配置すれば、磁気ストライプ３１内の情報を保護する機能は維持される。しかしながら、カード用通信制御体７０の抗磁性金属枠７１には切断部がないため、抗磁性金属枠７１の磁路（図示せず）が切断されずに渦電流７３が発生し、カード用リーダ５０からの磁界５３までをも遮断してしまう。その結果、カード用リーダ５０からの磁界５３が磁気ストライプ付き非接触ＩＣカード３０のコイルアンテナ３２を通過することができないので、ＩＣの電源が印加されず、磁気ストライプ付き非接触ＩＣカード３０に記録された情報を読取ることが不可能となってしまう。そうすると、カード用通信制御体を財布等に入れて使用する場合、非接触ＩＣカードを使用するとき毎に財布等から取り出さなくてはならなくなり、非常に不便である。
【００２１】
そこで、図４に示すように、カード用通信制御体１０の抗磁性金属枠１１に切断部１１０を設けることにより、上記問題を解決した。すなわち、抗磁性金属枠１１に切断部１１０を設けることにより、抗磁性金属枠１１に生じる磁路（図示せず）を遮断し、非接触ＩＣカード３０をカード用リーダ５０に近づけたときに、カード用リーダ５０から発生する磁界５３の一部を磁気ストライプ付き非接触ＩＣカード３０に通過させることが可能となる。すると前述のように、磁気ストライプ付き非接触ＩＣカード３０内のコイルアンテナ３２の磁束が電流に変換され、ＩＣの電源として利用される。そして、カード用リーダ５０からの磁界５３とは逆向きの磁界３３が磁気ストライプ付き非接触ＩＣカード３０から発生し、磁気ストライプ付き非接触ＩＣカード３０に記録された情報がカード用リーダ５０へと伝送され、読取りが可能となる。このとき、外部からの磁気は磁気ストライプ付き非接触ＩＣカード３０の一部を通過するが、抗磁性金属枠１１が磁気ストライプ３１に重合されるように配置されているので、磁気ストライプ３１に記録された情報は外部の磁気から保護される。
【実施例３】
【００２２】
図５において、磁気ストライプ付きカード２０と非接触ＩＣカード４０との間に介挿させて使用するカード用通信制御体１０について示す。
実施例３では、磁気ストライプ付きカード２０と非接触ＩＣカード４０との間にカード用通信制御体１０を介挿する。このとき抗磁性金属枠１１は、磁気ストライプ付きカード２０の磁気ストライプ２１に重合するように配置される。同時に抗磁性金属枠１１は、切断部１１０を有し、非接触ＩＣカード４０内のコイルアンテナ４２とも一部または全部が重合されるように配置される。
【００２３】
実施例１で説明した方法と同様の方法で、磁気ストライプ付きカード２０の磁気ストライプ２１は、カード用通信制御体１０の抗磁性金属枠１１が磁気ストライプ２１に重合されるように配置されるので、外部からの磁気から保護される。
また、カード用通信制御体１０の抗磁性金属枠１１は切断部１１０を有しているので、カード用リーダ５０からの磁界５３は非接触ＩＣカード４０を通過する。すると実施例２で説明したように、非接触ＩＣカード４０からカード用リーダ５０からの磁界５３とは逆向きの磁界４３が発生する。この磁界４３によって、非接触ＩＣカード４０に記録された情報はカード用リーダ５０に伝送され、読み取られる。
【００２４】
このように実施例３によると、磁気ストライプ付きカード２０の磁気ストライプ２１に記録された情報が外部からの磁気により破壊されることを防止すると共に、非接触ＩＣカード４０に記録された情報の読取りも可能にする。
【符号の説明】
【００２５】
１０：カード用通信制御体
１１：抗磁性金属枠
１２：カード支持体
２０：磁気ストライプ付きカード
２１，３１：磁気ストライプ
３０：磁気ストライプ付き非接触ＩＣカード
３２，４２，６２：コイルアンテナ
４０，６０：非接触ＩＣカード
５０：カード用リーダ
１１０：切断部
【図１】
2011141661.tif 000003
【図２】
2011141661.tif 000004
【図３】
2011141661.tif 000005
【図４】
2011141661.tif 000006
【図５】
2011141661.tif 000007
【図６】
2011141661.tif 000008
【図７】
2011141661.tif 000009